(57)【要約】【課題】電源モジュールを組み立てる際に、筐体と絶縁部材との間でリード線が挟み込まれることによって、配線が断線してしまうことを抑制することができる照明装置を提供する。【解決手段】電源モジュール２は、点灯回路２９と、点灯回路２９と灯具４とを電気的に接続する第１リード線２３１と、点灯回路２９を収容し、第１リード線２３１が配線される電源収容部２０と、締結部材２４０によって電源収容部２０に固定される絶縁部材２５０とを備える。さらに、電源収容部２０内には、第１リード線２３１と交差する方向に第１壁部２６０が形成される。また、第１壁部２６０には、第１リード線２３１が配線される切り欠き状の凹部２６３が形成される。そして、絶縁部材２５０は、外部電源と電気的に接続可能な電極板２３３が配置される本体板部２５１と、本体板部２５１に設けられ、第１壁部２６０に沿う位置に配置される第２壁部２５３とを有する。【選択図】図４
2019029182.tif 000002
【特許請求の範囲】
【請求項１】
電源モジュールと、前記電源モジュールからの給電により点灯する灯具とを備える照明器具であって、
前記電源モジュールは、
点灯回路と、
前記点灯回路と前記灯具とを電気的に接続する第１リード線と、
前記点灯回路を収容し、前記第１リード線が配線される筐体と、
締結部材によって前記筐体に固定される絶縁部材とを備え、
前記筐体内には、前記第１リード線と交差する方向に第１壁部が形成され、
前記第１壁部には、前記第１リード線が配線される切り欠き状の凹部が形成され、
前記絶縁部材は、
外部電源と電気的に接続可能な電極板が配置される本体板部と、
前記本体板部に設けられ、前記第１壁部に沿う位置に配置される第２壁部とを有する
照明器具。
【請求項２】
前記筐体は、前記点灯回路を収容する容器部と、前記容器部の開口部を塞ぐ天板とを有し、
前記第１壁部は、締結部材によって前記天板を前記容器部に締結する締結受け部を有し、
前記第２壁部は、前記締結受け部の外周の一部に沿って形成される略筒状の案内突部である
請求項１に記載の照明器具。
【請求項３】
前記絶縁部材には、前記締結部材によって前記筐体に固定された際に、前記第１リード線の状態を視認することが可能な貫通孔が形成される
請求項１又は２に記載の照明器具。
【請求項４】
前記絶縁部材は、透明な部材で形成されている
請求項１〜３のいずれか１項に記載の照明器具。
【請求項５】
前記絶縁部材は、前記締結部材によって前記筐体に固定された際に、前記第１リード線を迂回させる係合突出部を有する
請求項１〜４のいずれか１項に記載の照明器具。
【請求項６】
さらに、前記電極板が一端で電気的に接続され、他端で前記点灯回路と電気的に接続する第２リード線を備え、
前記絶縁部材は、
前記外部電源と電気的に接続可能に前記電極板の一端側及び他端側を係止することで、前記電極板を前記本体板部に対して直立した状態で保持する電極係止部を有する
請求項１〜５のいずれか１項に記載の照明器具。
【請求項７】
前記絶縁部材は、さらに、前記電極板の中央部分に対応する位置に形成され、前記電極係止部に案内する案内係止部を有する
請求項６に記載の照明器具。
【発明の詳細な説明】
【技術分野】
【０００１】
本発明は、照明器具に関する。
【背景技術】
【０００２】
従来、ボックスと、ボックスに収容された点灯回路と、点灯回路と配線で電気的に接続される灯体とを備える照明器具が開示されている（例えば、特許文献１）。
【先行技術文献】
【特許文献】
【０００３】
【特許文献１】特開２０１７−５４７３２号公報
【発明の概要】
【発明が解決しようとする課題】
【０００４】
しかしながら、特許文献１に開示された照明器具においては、筐体に点灯回路、リード線等を収容して組み立てる際に、例えば筐体内の構造体と筐体に組み付ける絶縁部材との間でリード線が挟み込まれたままの状態で、点灯回路、リード線等が組み付けられてしまうことがある。この場合、リード線は、筐体と絶縁部材とで挟まれた状態であるため、断線してしまうことがある。
【０００５】
そこで、本開示は、電源モジュールを組み立てる際に、筐体と絶縁部材との間でリード線が挟み込まれることによって、リード線が断線してしまうことを抑制することができる照明器具を提供することを目的とする。
【課題を解決するための手段】
【０００６】
上記目的を達成するため、本開示の一態様に係る照明器具は、電源モジュールと、前記電源モジュールからの給電により点灯する灯具とを備える照明器具であって、前記電源モジュールは、点灯回路と、前記点灯回路と前記灯具とを電気的に接続する第１リード線と、前記点灯回路を収容し、前記第１リード線が配線される筐体と、締結部材によって前記筐体に固定される絶縁部材とを備え、前記筐体内には、前記第１リード線と交差する方向に第１壁部が形成され、前記第１壁部には、前記第１リード線が配線される切り欠き状の凹部が形成され、前記絶縁部材は、外部電源と電気的に接続可能な電極板が配置される本体板部と、前記本体板部に設けられ、前記第１壁部に沿う位置に配置される第２壁部とを有する。
【発明の効果】
【０００７】
本開示によれば、電源モジュールを組み立てる際に、筐体と絶縁部材との間でリード線が挟み込まれることによって、配線が断線してしまうことを抑制することができる。
【図面の簡単な説明】
【０００８】
【図１】図１は、実施の形態１に係る照明器具の外観を示す斜視図である。
【図２】図２は、図１のＩＩ−ＩＩ線における実施の形態１に係る照明器具を示す断面図である。
【図３】図３は、実施の形態１に係る照明器具の電源モジュールを示す分解斜視図である。
【図４】図４は、実施の形態１に係る照明器具の電源モジュールを示す部分拡大斜視図である。
【図５】図５は、実施の形態１に係る照明器具の絶縁部材及び点灯回路等を示す斜視図である。
【図６】図６は、図４のＶＩ−ＶＩ線における照明器具の電源モジュールを示す一部を断面とした部分拡大斜視図である。
【図７】図７は、図６のＶＩＩ−ＶＩＩ線における照明器具の電源モジュールを示す部分拡大断面図である。
【図８】図８は、実施の形態１の変形例１に係る照明器具の絶縁部材等を示す斜視図である。
【図９】図９は、実施の形態１の変形例２に係る照明器具の絶縁部材等を示す斜視図である。
【図１０】図１０は、実施の形態２に係る照明器具の外観を示す斜視図である。
【図１１】図１１は、実施の形態２に係る照明器具の電源モジュールを示す部分分解斜視図である。
【図１２】図１２は、実施の形態２に係る照明器具の絶縁部材等を示す斜視図である。
【発明を実施するための形態】
【０００９】
以下、本発明の実施の形態について、図面を参照しながら説明する。なお、以下に説明する実施の形態は、いずれも本発明の一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
（実施の形態１）
［構成］
まず、本実施の形態に係る照明器具１の構成について、図面を用いて説明する。
【００１２】
図１は、実施の形態１に係る照明器具１の外観を示す斜視図である。図２は、図１のＩＩ−ＩＩ線における実施の形態１に係る照明器具１を示す断面図である。図３は、実施の形態１に係る照明器具１の電源モジュール２を示す分解斜視図である。図４は、実施の形態１に係る照明器具１の電源モジュール２を示す部分拡大斜視図である。図５は、実施の形態１に係る照明器具１の絶縁部材２５０及び点灯回路２９等を示す斜視図である。
【００１３】
電源モジュール２の短手方向をＸ軸方向と規定し、電源モジュール２の長手方向をＹ軸方向と規定し、Ｘ軸方向とＹ軸方向と直交する方向をＺ軸方向と規定する。また、紙面裏面から表面に向かう方向をＸ軸プラス方向とし、照明器具１から光が出射する方向をＹ軸プラス方向とし、灯具４に対して電源モジュール２をＺ軸プラス方向と規定し、Ｘ、Ｙ、Ｚの各方向を表示する。そして、図１に示す各方向は、図２に示す各方向に対応させて表示する。図２以降の図においても、同様である。
【００１４】
図１〜図３に示される照明器具１は、ライティングダクト（ダクトレールともいう）に取り付けられる装置である。本実施の形態では、照明器具１は、スポットライト用の器具である。照明器具１は、電源モジュール２と、灯具４と、支持部５とを備える。
【００１５】
［電源モジュール］
電源モジュール２は、灯具４に電力を供給する電源装置である。電源モジュール２は、ライティングダクトに取り付けることが可能である。電源モジュール２は、スポットライト用だけでなく、ダウンライト用であってもよい。電源モジュール２は、点灯回路２９と、電源収容部２０と、第一係止部２１と、絶縁部材２５０とを有する。
【００１６】
［点灯回路］
点灯回路２９は、灯具４の光源３０に電力を供給する回路である。具体的には、点灯回路２９は、商用電源等の外部電源からの交流電力を、整流、平滑及び降圧等して所定レベルの直流電力に変換する。点灯回路２９で生成された直流電力は、電線９２を介して光源３０に供給される。なお、図２では、電線９２の一部の図示を省略している。
【００１７】
点灯回路２９は、例えば、プリント回路基板などの回路基板２８と、第１コネクタ２９ａと、第２コネクタ２９ｂと、回路基板２８に実装された複数の素子とを有する。回路基板２８に実装される素子は、光源３０を点灯させるための部品である。例えば、当該素子には、電解コンデンサやセラミックコンデンサ等の容量素子、抵抗器等の抵抗素子、整流回路素子、コイル素子、チョークコイル（チョークトランス）、ノイズフィルタ、ダイオード又は集積回路素子などの半導体素子などが含まれる。なお、点灯回路２９には、調光回路や昇圧回路などが組み合わされていてもよい。
【００１８】
第１コネクタ２９ａは、回路基板２８のＺ軸マイナス方向側の面に配置され、第１リード線２３１と電気的に接続している。第１コネクタ２９ａには、第１リード線２３１及び電線９２を介して、点灯回路２９で生成された直流電力を供給され、第２コネクタ２９ｂは、回路基板２８のＺ軸プラス方向側の面に配置され、第２リード線２３２と電気的に接続している。第２コネクタ２９ｂには、第２リード線２３２等を介して、商用電源等の外部電源からの交流電力が供給される。
【００１９】
［電源収容部］
電源収容部２０は、点灯回路２９を収容する長尺の筐体である。また、電源収容部２０は、照明器具１をライティングダクトに係止する機能、及び、ライティングダクトから電力を受電する機能も有する。また電源収容部２０の長手方向の一端部には、支持部５が取り付けられる。電源収容部２０は、筐体の一例である。電源収容部２０は、容器部２６と、天板２７とを有する。
【００２０】
容器部２６は、内部に、点灯回路２９を収容するための空間を有する有底筒状の容器である。容器部２６のライティングダクトに対向する開口部の少なくとも一部は天板２７で塞がれる。このように、容器部２６と天板２７とで電源収容部２０が形成される。容器部２６は、例えば、金属又は樹脂などを主要材料として含む。
【００２１】
容器部２６は、第１収容空間２６５ａと、第２収容空間２６５ｂとを有する。図５に示すように、第１収容空間２６５ａには、点灯回路２９が収容されている。容器部２６には、ネジなどの締結部材２４０が締結される第１壁部２６０が形成されている。第１壁部２６０は、電源収容部２０内で、第１リード線２３１と交差する方向に形成される。第１壁部２６０は、第１収容空間２６５ａと第２収容空間２６５ｂとの間に形成されている。第１壁部２６０は、一対の締結受け部２６１と、立ち壁部２６２とを有する。
【００２２】
締結受け部２６１は、締結部材２４０を用いて天板２７を容器部２６に固定する際に、ネジなどの締結部材２４０でねじ止めされる雌ネジ部である。締結受け部２６１には、締結部材２４０が締結される雌ネジ穴２６１ａが形成されている。締結受け部２６１は、容器部２６の内面に形成され、第１収容空間２６５ａと、第２収容空間２６５ｂとの間に形成されている。締結受け部２６１は、Ｚ軸プラス方向に直立して容器部２６内に一体形成されている。本実施の形態では、第１収容空間２６５ａに１つの締結受け部２６１が形成され、第２収容空間２６５ｂ内に２つの締結受け部２６１が形成されている。
【００２３】
立ち壁部２６２は、容器部２６の底部から立ち上がる状態で、一方の締結受け部２６１から他方の締結受け部２６１までを繋いでいる。つまり、立ち壁部２６２及び一対の締結受け部２６１は、容器部２６内で、第１収容空間２６５ａと第２収容空間２６５ｂとの境界の一部を区切っている。立ち壁部２６２のＺ軸方向の高さは、一対の締結受け部２６１のＺ軸方向の高さよりも小さい。立ち壁部２６２には、第１リード線２３１が配線される切り欠き状の凹部２６３が形成されている。立ち壁部２６２の上面２６２ａは、本体板部２５１のＺ軸マイナス方向側の面と対向している。
【００２４】
切り欠き状の凹部２６３は、立ち壁部２６２のＸ軸方向の中央部分が切り欠かれて形成されている。立ち壁部２６２は、Ｙ軸方向から見て一部が切り欠かれて窪んだ状態に形成されている。切り欠き状の凹部２６３は、第１リード線２３１を厚み方向に通過させる切り欠きである。
【００２５】
第２収容空間２６５ｂには、第１リード線２３１の一部、絶縁部材２５０の一部、電線９２の一部等が収容されている。
【００２６】
図１〜図３に示すように、容器部２６には、第１収容空間２６５ａに収容された点灯回路２９の第１コネクタ２９ａに接続されている第１リード線２３１が配線される配線路Ｈが形成されている。配線路Ｈは、少なくとも、第１収容空間２６５ａから第２収容空間２６５ｂに配置されて支持部５を挿通している電線９２までの経路である。
【００２７】
容器部２６を形成する材料は、特に限定されない。容器部２６は、例えば、樹脂又は金属などを主要材料として含む。本実施の形態では、容器部２６は、白色の樹脂材料を用いている。
【００２８】
天板２７は、容器部２６の開口部２６ｃに配置され、開口部２６ｃの少なくとも一部を塞いでいる。天板２７は、照明器具１がライティングダクトに取り付けられる際には、ライティングダクトに対向する位置に配置される。また、天板２７には、締結部材２４０を挿通する複数の第１挿通孔２０ａと、第一係止部２１を取付ける第２挿通孔２０ｂとが形成されている。
【００２９】
また、本実施の形態では、天板２７には、第一係止部２１が取り付けられる。天板２７を形成する材料は、導電性であれば特に限定されない。天板２７は、例えば、樹脂材料、鉄等の金属材料等で形成される。
【００３０】
［第一係止部］
第一係止部２１は、点灯回路２９と電気的に接続され、ライティングダクトの給電電極と接続される一対の受電端子２１３ａを有し、ライティングダクトに電源収容部２０を係止する係止部材である。一対の受電端子２１３ａによって受電された交流電力は、電線などを介して点灯回路２９に送られる。
【００３１】
本実施の形態では、第一係止部２１は、電源収容部２０の長手方向の一端部であって、ライティングダクトに対向する位置に配置される。第一係止部２１は、一対の受電端子２１３ａに加えて、第一係止板２１２と、第二係止板２２２と、第一レバー２１１とを有する。
【００３２】
一対の受電端子２１３ａは、ライティングダクトから電力を受ける端子である。一対の受電端子２１３ａは、容器部２６に対してＺ軸方向に平行な回転軸を中心として回転自在に設けられる。一対の受電端子２１３ａをライティングダクトの溝部において回転軸を中心として約９０度回転させることによって、一対の受電端子２１３ａをライティングダクト内の給電電極に接続できる。一対の受電端子２１３ａは、一部が各図のＺ軸に平行な回転軸と直交する方向に延びる板状端子であり、第一レバー２１１と連動して、当該回転軸を中心に約９０度の回転角の範囲にわたって回転自在である。一対の受電端子２１３ａは、回転軸を中心に回転することで、第２リード線２３２の一端に電気的に接続されている電極板２３３と電気的に接続状態となったり、非接続状態となったりする。一対の受電端子２１３ａを形成する材料は、導電性材料であれば特に限定されない。一対の受電端子２１３ａは、例えば、銅などで形成されてもよい。
【００３３】
第一係止板２１２は、容器部２６に対して各図のＺ軸方向に平行な回転軸を中心として回転自在に設けられる。第一係止板２１２をライティングダクトの溝部において回転軸を中心として約９０度回転させることによって、第一係止板２１２をライティングダクトに係止できる。本実施の形態では、第一係止板２１２は、長方形状の主面を有する板状部材である。第一係止板２１２は、第一レバー２１１と連動して、回転軸を中心に約９０度の回転角の範囲にわたって回転自在である。本実施の形態では、第一係止板２１２は、ライティングダクトの溝部において係止される。これにより、照明器具１をライティングダクトに係止することができる。また、第一係止板２１２がライティングダクトの溝部において係止されることにより、第一係止部２１のライティングダクトに対する位置及び角度が安定化されるため、一対の受電端子２１３ａをライティングダクトの給電電極に安定的に接続することができる。第一係止板２１２を形成する材料は、特に限定されない。第一係止板２１２は、例えば、ポリカーボネイトなどの樹脂材料で形成されてもよい。
【００３４】
第二係止板２２２は、一対の受電端子２１３ａに挟まれるように、第一係止板２１２のＺ軸マイナス方向側に配置され、一対の受電端子２１３ａの端部に保持される板状部材である。第二係止板２２２は、容器部２６の第２挿通孔２０ｂを挿通した第一係止板２１２と係合し、容器部２６を上下で挟んでいる。
【００３５】
第一レバー２１１は、一対の受電端子２１３ａと、第一係止板２１２と、第二係止板２２２とを、容器部２６に対して、各部のＺ軸に平行な回転軸を中心に回転させるためのレバーである。本実施の形態では、第一レバー２１１を、当該回転軸を中心に約９０度の回転角の範囲にわたって回転させることができる。また、第一レバー２１１は、一対の受電端子２１３ａ、並びに、第一係止板２１２と、当該回転軸を中心に一体的に回転するように形成されている。第一レバー２１１は、例えば、第一係止板２１２と一体的に形成されていてもよい。第一レバー２１１を形成する材料は、特に限定されない。第一レバー２１１は、例えば、ポリカーボネイトなどの樹脂材料で形成されてもよい。
【００３６】
［絶縁部材］
図４及び図５に示すように、絶縁部材２５０は、締結部材２４０によって間接的に電源収容部２０に固定される。絶縁部材２５０は、第２収容空間２６５ｂに配置され、第２収容空間２６５ｂに一部が配置されている電線９２と第一係止部２１との間に配置されている絶縁体である。絶縁部材２５０は、第一係止部２１の一対の受電端子２１３ａと電気的に接続する第２リード線２３２の端部の電極板２３３を保持している。絶縁部材２５０は、ポリカーボネイトなどの樹脂材料で形成されてもよい。絶縁部材２５０は、全体が透明な樹脂材料等の部材で形成されていてもよい。
【００３７】
絶縁部材２５０は、本体板部２５１と、一対の第１案内突部２５２と、一対の第２壁部２５３と、係合突出部２５６と、一対の第１電極係止部２５４と、一対の第２電極係止部２５５とを有する。
【００３８】
本体板部２５１は、第１リード線２３１のＺ軸プラス方向側に配置され、第一係止部２１と電線９２との間を仕切る板状の部材である。本体板部２５１は、外部電源と電気的に接続可能な電極板２３３を配置するための絶縁部材である。本体板部２５１は、容器部２６の内部に形成されている複数の係合部２６６と係合し保持されている。
【００３９】
一対の第１案内突部２５２は、本体板部２５１のＺ軸プラス方向側の面に形成され、本体板部２５１からＺ軸プラス方向側に突出し、Ｘ軸方向に並んでいる。第１案内突部２５２は、絶縁部材２５０を第２収容空間２６５ｂに収容する際に、締結受け部２６１の外周に沿って案内する略半円状である。第１案内突部２５２及び締結受け部２６１をＺ軸プラス方向から見た場合に、第１案内突部２５２は、締結受け部２６１の外周の一部に沿っている。一対の第１案内突部２５２は、一対の締結受け部２６１と一対一で対応している。
【００４０】
一対の第２壁部２５３は、本体板部２５１のＺ軸プラス方向側の面に形成され、本体板部２５１からＺ軸マイナス方向側に突出し、Ｘ軸方向に並んでいる。第２壁部２５３は、本体板部２５１に設けられ、第１壁部２６０に沿う位置に配置される。一方の第２壁部２５３と他方の第２壁部２５３との間に第１リード線２３１が配置される。第２壁部２５３の突出量は、第１リード線２３１の直径の約２倍以上である。第２壁部２５３の高さは、１０ｍｍ程度である。第２壁部２５３は、案内突部の一例である。
【００４１】
第２壁部２５３は、湾曲壁部２５３ａと、平壁部２５３ｂとを有する。
【００４２】
湾曲壁部２５３ａ及び締結受け部２６１をＺ軸マイナス方向から見た場合に、湾曲壁部２５３ａは、円弧状であり、締結受け部２６１の外周の一部に沿っている。言い換えれば、湾曲壁部２５３ａは、第１壁部２６０に沿う位置に対向配置されている。
【００４３】
平壁部２５３ｂは、湾曲壁部２５３ａの第１リード線側２３１で連続し、本体板部２５１から突出している。平壁部２５３ｂは、第１壁部２６０に沿って対向配置されている。つまり、平壁部２５３ｂは、第１壁部２６０の立ち壁部２６２と対向している。具体的には、平壁部２５３ｂのＹ軸マイナス方向側の面は、第１壁部２６０の立ち壁部２６２のプラス方向側の面と向き合っている。絶縁部材２５０が容器部２６に配置された場合に、平壁部２５３ｂは、第１壁部２６０の立ち壁部２６２に近接又は当接した状態で配置され、Ｙ軸マイナス方向から見て立ち壁部２６２の一部と重なっている。平壁部２５３ｂと立ち壁部２６２とが近接している場合、切り欠き状の凹部２６３を除く立ち壁部２６２と平壁部２５３ｂとの隙間は、第１リード線２３１の径よりも狭い。
【００４４】
一対の第２壁部２５３は、一対の締結受け部２６１と一対一で対応し、一対の第１案内突部２５２とも一対一で対応している。つまり、第１案内突部２５２と第２壁部２５３とは、締結受け部２６１の外周の一部に沿っている。
【００４５】
係合突出部２５６は、本体板部２５１のＺ軸マイナス方向側の面で、第１収容空間２６５ａ内で第１リード線２３１を、容器部２６の底部を沿わせて迂回させるように、Ｚ軸マイナス方向に突出している。係合突出部２５６は、絶縁部材２５０のＺ軸マイナス方向側から見て円弧状に湾曲した壁部である。係合突出部２５６は、一対の第２壁部２５３からＹ軸マイナス方向側に離間した場所に形成されている。係合突出部２５６と一対の第２壁部２５３との間には、第１壁部２６０が配置されている。言い換えれば、一対の第２壁部２５３と係合突出部２５６とが立ち壁部２６２を挟むように本体板部２５１に形成されている。立ち壁部２６２、一対の締結受け部２６１及び絶縁部材２５０は、第１リード線２３１を配線する配線路Ｈを形成する。
【００４６】
一対の第１電極係止部２５４及び一対の第２電極係止部２５５は、本体板部２５１のＺ軸プラス方向側の面に形成され、Ｚ軸方向に突出する突部である。第１電極係止部２５４は、Ｚ軸プラス方向側から見て略Ｃ文字状であり、第２リード線２３２の端部に電気的に接続されている電極板２３３の一端側を挟むように、電極板２３３を直立した状態で係止する。第２電極係止部２５５は、本体板部２５１のＺ軸プラス方向側の面に形成され、Ｚ軸プラス方向に突出する突部である。第２電極係止部２５５は、第１案内突部２５２に隣接する位置で、第１案内突部２５２から所定の間隔を空けて本体板部２５１に配置されている。第２電極係止部２５５と第１案内突部２５２とが、電極板２３３の他端側を係止している。所定の間隔は、電極板２３３を配置することが可能な間隔であり、電極板２３３の厚み方向の長さと同程度である。つまり、第１電極係止部２５４、第２電極係止部２５５及び第１案内突部２５２は、本体板部２５１に対して電極板２３３を直立した状態で係止する。第１電極係止部２５４、第２電極係止部２５５及び第１案内突部２５２は、電極係止部の一例である。
【００４７】
［装置本体］
図１及び図２に示されるように、装置本体１０は、光源３０が内部に配置され、光源３０からの光を外部に出射する筒状部材である。装置本体１０は、側方開口部１３０を備える。側方開口部１３０は、装置本体１０の側面に設けられたスリット状の開口部であり、支持部５が配置される。
【００４８】
装置本体１０の内部には、光源３０に加えて、本体１４０、反射部材４０、光学部材５０、光制御部材６０などが配置される。
【００４９】
装置本体１０を形成する材料は、特に限定されない。装置本体１０は、例えば、アルミニウム合金などの金属材料で形成される。本実施の形態では、装置本体１０は、アルミニウム合金を用いてアルミダイカスト工程を経て形成される。
【００５０】
［本体］
本体１４０は、装置本体１０の内部に配置され、光源３０及び支持部５が取り付けられる部材である。本体１４０は、光源３０から発生した熱を放熱するヒートシンクとしても機能する。
【００５１】
本体１４０は、Ｚ軸プラス方向側に、取付部１４１及び鍔部を備える。取付部１４１は、光源３０が取り付けられる部分である。取付部１４１は、光源３０を取り付けるための平坦な面を含む。これにより、光源３０から発生する熱が効率よく本体１４０に伝導される。本体１４０は、支持部５に取り付けられる。本体１４０は、支持部５に対して回転自在に取り付けられる。これにより、支持部５に対して、灯具４の向き、照明器具１の光軸Ｊの向きを調整することができる。
【００５２】
本体１４０を形成する材料は、特に限定されない。本体１４０は、例えば、アルミニウム合金などの金属材料で形成される。本実施の形態では、本体１４０は、アルミニウム合金を用いてアルミダイカスト工程を経て形成される。
【００５３】
［支持部］
支持部５は、電源収容部２０の長手方向の一端部に取り付けられ、灯具４を支持する部材である。本実施の形態では、支持部５は、一方の端部において電源収容部２０に取り付けられ、他方の端部において灯具４の本体１４０に取り付けられる。支持部５は、長尺状の筒状部材であり、長手方向に挿通孔が形成されている。挿通孔には、電線９２が挿通され、電線９２によって点灯回路２９から光源３０に電力が供給される。支持部５を形成する材料は、特に限定されない。支持部５は、例えば、アルミニウム合金などの金属材料で形成される。
【００５４】
［光源］
光源３０は、発光素子を有し、照明器具１の出射光となる光を出射する光源部である。本実施の形態では、光源３０は、発光素子としてＬＥＤ（Ｌｉｇｈｔ  Ｅｍｉｔｔｉｎｇ  Ｄｉｏｄｅ）を有する発光モジュールであって、所定の光を放射状に出射するＬＥＤ光源である。光源３０は、例えば白色光を出射するように構成されている。光源３０は、ＣＯＢ（Ｃｈｉｐ  Ｏｎ  Ｂｏａｒｄ）型ＬＥＤで構成され、基台と、基台上に実装されたベアチップ（ＬＥＤチップ）である複数のＬＥＤと、それらＬＥＤを封止し、蛍光体を含む封止部材とを備える。
【００５５】
光源３０は、本体１４０の取付部１４１に取り付けられる。各図に示される照明器具１において、光源３０の光軸ＪはＹ軸方向に平行である。
【００５６】
光源３０を構成する基台は、複数のＬＥＤを実装するための実装基板であって、例えばセラミックス基板、樹脂基板又は絶縁被覆されたメタルベース基板などである。また、基台は、例えば平面視において矩形である平面を有する板状であり、基台のＹ軸プラス方向側の面が本体１４０の取付部１４１に取り付けられて固定される。なお、図示しないが、基台には、ＬＥＤを発光させるための直流電力を電線９２から受電するための一対の電極端子（正電極端子及び負電極端子）が形成されている。
【００５７】
［反射部材］
反射部材４０は、光源３０からの光の配光を制御する部材である。本実施の形態では、反射部材４０は、光源３０からの光を光学部材５０に向けて反射させる。反射部材４０は、光源３０の光軸Ｊが貫通する開口が形成された筒状の形状を有する。
【００５８】
反射部材４０の内径は、光源３０からの光が入射される側の端部から、当該光が出射される側の端部に向かって漸次大きくなるように構成されている。反射部材４０の内面において、光源３０からの光が反射される。光源３０からの光が入射される側はＹ軸マイナス方向側であり、光が出射される側はＹ軸プラス方向側である。
【００５９】
反射部材４０は、例えばポリブチレンテレフタレートなど硬質の白色樹脂材料を用いて形成することができる。なお、反射部材４０の内面にアルミニウムなどの金属膜が設けられてもよい。
【００６０】
［光学部材］
光学部材５０は、反射部材４０からの光が入射する光入射面、及び、光入射面に入射した光を出射する光出射面を備える透光性の部材である。光学部材５０は、反射部材４０から出射した光の配光を制御する機能を有してもよい。本実施の形態では、光学部材５０はフレネルレンズである。これにより、照明器具１は、出射光を集光して、スポット状の照明領域を形成することができる。
【００６１】
光学部材５０は、透光性材料を用いて形成されており、例えばアクリル、ポリカーボネイトなどの透明樹脂材料、又は、ガラス材料などの透明材料を用いて形成することができる。
【００６２】
［光制御部材］
光制御部材６０は、装置本体１０の内部であって、光学部材５０の光出射面側に配置された筒状の部材である。光制御部材６０は、光源３０の光軸Ｊの周囲に配置される。また、光制御部材６０の外径は、装置本体１０の開口１２０側の内径と略等しい。これにより、装置本体１０の開口１２０の出射光通過領域が光制御部材６０によって削減されることを抑制できる。また、装置本体１０と光制御部材６０との間からの出射光の漏れを抑制できる。
【００６３】
光制御部材６０は、装置本体１０の内面のうち、光学部材５０の光出射面近傍から、装置本体１０の開口１２０の端部近傍まで部分を覆う。開口１２０の端部は、Ｚ軸プラス方向側の端部である。
【００６４】
ここで、光制御部材６０の内面は、黒色のグレア抑制面である。このように、装置本体１０の開口１２０の端部近傍は、黒色のグレア抑制面である光制御部材６０の内面で覆われる。これにより、装置本体１０の開口１２０の端部近傍におけるグレアが抑制される。光制御部材６０の内面は、黒色のグレア抑制面であれば、特に限定されない。黒色のグレア抑制面は、例えば、黒色に塗装した面に艶消し処理を施すことにより実現できる。光制御部材６０は、例えば、ポリブチレンテレフタレート、ポリカーボネイトなどの樹脂材料を用いて形成することができる。
【００６５】
次に、第１リード線２３１が第１壁部２６０の高い位置に乗り上げた場合について説明する。
【００６６】
図６は、図４のＶＩ−ＶＩ線における照明器具１の電源モジュール２を示す一部を断面とした部分拡大斜視図である。図７は、図６のＶＩＩ−ＶＩＩ線における照明器具１の電源モジュール２を示す部分拡大断面図である。
【００６７】
例えば、第１壁部２５３が存在しない場合では、絶縁部材と第１壁部２６０とで第１リード線２３１を挟んだ状態でも、さほど絶縁部材が容器部２６に対して浮き上がらないため、絶縁部材と第１壁部２６０とで第１リード線２３１を挟んでいることに気付きにくい。このため、絶縁部材と第１壁部２６０とで第１リード線２３１を挟んだ状態で、絶縁部材等を容器部２６に組み付け、締結部材２４０で天板２７等を容器部２６に締結するため、その締結力で第１リード線２３１が断線してしまうことがある。
【００６８】
図７の（ａ）は、図６のＶＩＩ−ＶＩＩ線における部分拡大断面図である。図７の（ａ）では、締結受け部２６１の先端部に第１リード線２３１が配置された状態である。この場合では、絶縁部材２５０を容器部２６に配置する際に、湾曲壁部２５３ａが第１リード線２３１と当接するため、絶縁部材２５０が容器部２６に対して浮き上がった状態となる。
【００６９】
図７の（ｂ）では、立ち壁部２６２の上面２６２ａに第１リード線２３１が配置された状態である。この場合では、絶縁部材２５０を容器部２６に配置する際に、平壁部２５３ｂが第１リード線２３１と当接するため、絶縁部材２５０が容器部２６に対して浮き上がった状態となる。
【００７０】
このように、図６、図７の（ａ）及び図７の（ｂ）の状態では、第１リード線２３１は、第１壁部２６０の高い位置に乗り上げている。この場合では、絶縁部材２５０を容器部２６に組み付ける際に、第２壁部２５３が第１リード線２３１と当接し、絶縁部材２５０が容器部２６に対して浮き上がった状態となる。これでは、絶縁部材２５０が容器部２６に対して位置ズレを起こしているため、天板２７等を容器部２６に、正しく組み付けることができないことに気付くことができる。ここでいう第１壁部２６０の高い位置は、締結受け部２６１、第１壁部２６０の上面２６２ａであり、切り欠き状の凹部２６３以外の部分である。
【００７１】
このため、図７の（ｃ）のように、立ち壁部２６２の切り欠き状の凹部２６３に第１リード線２３１を配線することができる。第１リード線２３１を切り欠き状の凹部２６３に配線することで、第１壁部２６０と第２壁部２５３との間で挟まれた状態を解消することができる。
【００７２】
［作用効果］
次に、本実施の形態における照明器具１の作用効果について説明する。
【００７３】
上述したように、本実施の形態４に係る照明器具１は、電源モジュール２と、電源モジュール２からの給電により点灯する灯具４とを備える。また、電源モジュール２は、点灯回路２９と、点灯回路２９と灯具４とを電気的に接続する第１リード線２３１と、点灯回路２９を収容し、第１リード線２３１が配線される電源収容部２０と、締結部材２４０によって電源収容部２０に固定される絶縁部材２５０とを備える。さらに、電源収容部２０内には、第１リード線２３１と交差する方向に第１壁部２６０が形成される。また、第１壁部２６０には、第１リード線２３１が配線される切り欠き状の凹部２６３が形成される。そして、絶縁部材２５０は、外部電源と電気的に接続可能な電極板２３３が配置される本体板部２５１と、本体板部２５１に設けられ、第１壁部２６０に沿う位置に配置される第２壁部２５３とを有する。
【００７４】
これによれば、絶縁部材２５０は、外部電源と電気的に接続可能な電極板２３３が配置される本体板部２５１と、本体板部２５１に設けられ、第１壁部２６０に沿う位置に配置される第２壁部２５３とを有する。このため、絶縁部材２５０を電源収容部２０に組み付ける際に、例えば、第１リード線２３１が第１壁部２６０の高い位置に乗り上げていたとしても、絶縁部材２５０の第２壁部２５３が第１リード線２３１と当接してしまい、絶縁部材２５０が所定の位置に組み付けることができなくなる。つまり、第１リード線２３１が第１壁部２６０の高い位置に乗り上げている場合に、第２壁部２５３が第１リード線２３１と当接することで、電源収容部２０に対して絶縁部材２５０の位置ズレが起きる。このため、絶縁部材２５０が電源収容部２０に対して強調して浮き上がってしまうことで、絶縁部材２５０が正しく電源収容部２０に組み付けられていないことに、作業者が気付くことができる。その結果、例えば絶縁部材２５０と締結受け部２６１とで第１リード線２３１を挟みこんだ状態で組み付けられることによる、第１リード線２３１の断線を抑制することができる。
【００７５】
したがって、電源モジュール２を組み立てる際に、電源収容部２０と絶縁部材２５０との間で第１リード線２３１が挟み込まれることによって、第１リード線２３１が断線してしまうことを抑制することができる。これにより、電源モジュール２の組み付けによって生じる照明器具１の製造における歩留まりの低下を抑制することができる。
【００７６】
特に、第２壁部２５３が無い場合では、治具を用いて、容器部２６に対する絶縁部材２５０の浮き上がりを確認していたが、この絶縁部材２５０では、容器部２６に対して浮き上がってしまうため、治具による確認作業を行うこともない。このため、照明器具１の製造コストの高騰化を抑制することができる。
【００７７】
また、本実施の形態に係る照明器具１において、電源収容部２０は、点灯回路２９を収容する容器部２６と、容器部２６の開口部２６ｃを塞ぐ天板２７とを有する。また、第１壁部２６０は、締結部材２４０によって天板２７を容器部２６に締結する締結受け部２６１を有する。そして、第２壁部２５３は、締結受け部２６１の外周の一部に沿って形成される略筒状の案内突部である。
【００７８】
これによれば、第２壁部２５３が締結受け部２６１の外周の一部に沿って形成される略筒状であるため、第２壁部２５３を締結受け部２６１に位置合わせするだけで、絶縁部材２５０等を電源収容部２０の容器部２６に組み付け易くなる。また、点灯回路２９、絶縁部材２５０等を電源収容部２０の容器部２６に組み付ける際に、例えば、第１リード線２３１が第１壁部２６０の高い位置に乗り上げていたとしても、絶縁部材２５０の第２壁部２５３が第１リード線２３１と当接して、絶縁部材２５０が所定の位置に載置されなくなる。このため、絶縁部材２５０が電源収容部２０に対して強調して浮き上がってしまうことで、絶縁部材２５０が正しく電源収容部２０に組み付けられていないことに、作業者が気付くことができる。その結果、例えば絶縁部材２５０と締結受け部２６１とで第１リード線２３１を挟みこんだ状態で組み付けられることによる、第１リード線２３１の断線を抑制することができる。
【００７９】
また、本実施の形態に係る照明器具１において、絶縁部材２５０は、透明な部材で形成されている。
【００８０】
これによれば、絶縁部材２５０が第１リード線２３１の状態を視認することが可能な透明な部材で形成されているため、締結部材２４０によって電源収容部２０に固定した際に、例えば絶縁部材２５０と第１壁部２６０とで第１リード線２３１を挟みこんだ状態で組み付けられたとしても、挟み込まれた第１リード線２３１の状態を視認することができる。このため、第１リード線２３１が断線してしまうことをより抑制することができる。
【００８１】
また、本実施の形態に係る照明器具１において、絶縁部材２５０は、締結部材２４０によって電源収容部２０に固定された際に、第１リード線２３１を迂回させる係合突出部２５６を有する。
【００８２】
これによれば、絶縁部材２５０の係合突出部２５６は、締結部材２４０によって電源収容部２０に固定した際に、第１リード線２３１を迂回させる。このため、係合突出部２５６が第１リード線２３１を撓ませ難くするため、第１壁部２６０の高い位置に乗り上げ難くなる。このため、第１リード線２３１を切り欠き状の凹部２６３に案内し易くなるため、絶縁部材２５０を電源収容部２０に組み付け易くすることができるとともに、第１リード線２３１が断線してしまうことをより抑制することができる。
【００８３】
また、本実施の形態に係る照明器具１は、さらに、電極板２３３が一端に接続され、他端で点灯回路２９と電気的に接続する第２リード線２３２を備える。そして、絶縁部材２５０は、外部電源と電気的に接続可能に電極板２３３の一端側及び他端側を係止することで、電極板２３３を本体板部２５１に対して直立した状態で保持する電極係止部を有する。
【００８４】
これによれば、絶縁部材２５０の電極係止部は、電極板２３３を絶縁するとともに、外部電源と電気的に接続可能な状態で電極板２３３を保持する。このため、電極板２３３の位置ズレを抑制することができるため、確実に外部電源と電気的に接続することができる。
【００８５】
（実施の形態１の変形例１）
本変形例に係る照明器具について説明する。
【００８６】
図８は、実施の形態１の変形例１に係る照明器具の絶縁部材３５０等を示す斜視図である。
【００８７】
本変形例では、絶縁部材３５０に貫通孔３５７が形成されている点で実施の形態１と異なっている。また、本変形例の照明器具は、特に明記しない場合、実施の形態１と同様であり、同一の構成については同一の符号を付して構成に関する詳細な説明を省略する。
【００８８】
図８に示すように、絶縁部材３５０の本体板部２５１には、Ｚ軸方向に貫通した貫通孔３５７が形成されている。貫通孔３５７は、一対の第１電極係止部２５４と、一対の第２電極係止部２５５とに設けられた電極板２３３の間に形成されている。貫通孔３５７は、絶縁部材３５０等を電源収容部２０の容器部２６に組み付けた際に、内部を視認することが可能である。なお、貫通孔３５７を塞ぐように、透明な樹脂材料が設けられていてもよい。
【００８９】
［作用効果］
次に、本実施の形態における照明器具の作用効果について説明する。
【００９０】
上述したように、本実施の形態に係る照明器具において、絶縁部材３５０には、締結部材２４０によって電源収容部２０に固定された際に、第１リード線２３１の状態を視認することが可能な貫通孔３５７が形成される。
【００９１】
これによれば、絶縁部材３５０には、締結部材２４０によって電源収容部２０に固定した際に、第１リード線２３１の状態を視認することが可能な貫通孔３５７が形成される。このため、例えば絶縁部材３５０と第１壁部２６０とで第１リード線２３１を挟みこんだ状態で組み付けられたとしても、挟み込まれた第１リード線２３１の状況を視認することができる。このため、第１リード線２３１が断線してしまうことをより抑制することができる。
【００９２】
（実施の形態１の変形例２）
本変形例に係る照明器具について説明する。
【００９３】
図９は、実施の形態１の変形例２に係る照明器具の絶縁部材４５０等を示す斜視図である。
【００９４】
本変形例では、絶縁部材４５０の本体板部２５１に、さらに案内係止部４５６ａ、４５６ｂが形成されている点で実施の形態１の変形例１と異なっている。また、本変形例の照明器具は、特に明記しない場合、実施の形態１の変形例１と同様であり、同一の構成については同一の符号を付して構成に関する詳細な説明を省略する。
【００９５】
図９に示すように、絶縁部材４５０は、さらに、各々の電極板２３３の中央部分に対応する位置に形成され、第１電極係止部２５４及び第２電極係止部２５５に案内する一対の案内係止部４５６ａ、４５６ｂを２組有する。一対の案内係止部４５６ａ、４５６ｂは、電極板２３３を両側から挟むように電極板２３３を介して互いに向き合って配置された構造体である。電極板２３３は、Ｙ軸方向に直線状に並んだ、第１電極係止部２５４、一対の案内係止部４５６ａ、４５６ｂ、第１案内突部２５２及び第２電極係止部２５５により、本体板部２５１に直立した状態で配置される。
【００９６】
［作用効果］
次に、本実施の形態における照明器具の作用効果について説明する。
【００９７】
上述したように、本実施の形態に係る照明器具において、絶縁部材４５０は、さらに、電極板２３３の中央部分に対応する位置に形成され、第１電極係止部２５４及び第２電極係止部２５５に案内する案内係止部４５６ａ、４５６ｂを有する。
【００９８】
これによれば、絶縁部材４５０の案内係止部４５６ａ、４５６ｂは、電極板２３３の中央部分に対応する位置に形成され、第１電極係止部２５４及び第２電極係止部２５５に案内する。このため、電極板２３３は、第１電極係止部２５４、一対の案内係止部４５６ａ、４５６ｂ、第１案内突部２５２及び第２電極係止部２５５により、本体板部２５１に直立した状態で配置される。このため、電極板２３３を絶縁部材４５０に組み付ける際に、例えば一端側が位置ズレした状態で組み付けられ難くなる。このため、組み付け不良による照明器具の歩留まりの低下を抑制することができる。
【００９９】
（実施の形態２）
［構成］
本実施の形態に係る照明器具５００の構成について説明する。
【０１００】
図１０は、実施の形態２に係る照明器具５００の外観を示す斜視図である。図１１は、実施の形態２に係る照明器具５００の電源モジュール５０２を示す部分分解斜視図である。図１２は、実施の形態２に係る照明器具５００の絶縁部材４５０等を示す斜視図である。
【０１０１】
本実施の形態では、照明器具５００が２５０Ｗ型、３５０Ｗ型、５００Ｗ型等の高出力な照明器具であり、実施の形態１の１００Ｗ型、１５０Ｗ型、２００Ｗ型等の照明器具１と異なっている。また、本実施の形態の照明器具５００は、特に明記しない場合、実施の形態１等と同様であり、同一の構成については同一の符号を付して構成に関する詳細な説明を省略する。
【０１０２】
［絶縁部材］
図１０〜図１２に示すように、絶縁部材５５０は、本体板部５５１と、一対の第１案内突部５５２と、一対の第２案内突部５５３と、一対の第１電極係止部５５４と、一対の第２電極係止部５５２ｂとを有する。
【０１０３】
本体板部５５１には、一対の第１電極係止部５５４、一対の第２電極係止部５５２ｂ、第１突部５５５ａ及び第２突部５５５ｂが形成されている。第１電極係止部５５４は略Ｌ字状であり、一方の電極板５３３と他方の電極板５３３との間に配置される第１突部５５５ａと所定の間隔を空けて配置されている。一対の第１電極係止部５５４と第１突部５５５ａとが、本体板部５５１に対して一対の電極板５３３を直立した状態で電極板５３３の一端側を保持している。
【０１０４】
第２突部５５５ｂは、電極板５３３の他方側で、一方の電極板５３３と他方の電極板５３３との間に配置されている。第２電極係止部５５２ｂと第２突部５５５ｂとは、電極板５３３を他端側で保持し、電極板５３３を直立した状態で保持している。
【０１０５】
第１案内突部５５２は、少なくとも、絶縁部材５５０等を電源収容部５２０の容器部５２６に組み付ける際に、締結受け部５６１の外周の一部に沿って形成される略筒状である。第１案内突部５５２は、締結部材２４０を挿通する挿通孔５５２ａが形成された筒状体である。挿通孔５５２ａは、絶縁部材５５０をＺ軸方向に貫通する孔である。
【０１０６】
第２案内突部５５３は、Ｚ軸マイナス方向側から見て略Ｃ文字状に形成されている。つまり、第２案内突部５５３は、第１案内突部５５２の挿通孔５５２ａを挿通する締結部材２４０を挿通可能な位置に形成されている。第２案内突部５５３の突出量は、第１リード線２３１の直径の約２倍以上である。第２案内突部５５３は、案内突部の一例である。
【０１０７】
本実施の形態では、締結受け部５６１が第１壁部の一例である。第１壁部には、第１リード線２３１が配線される切り欠き状の凹部５６３が形成されている。本実施の形態では、実施の形態１のような立ち壁部２６２は存在していない。
【０１０８】
本実施の形態の絶縁部材５５０では、実施の形態１の係合突出部２５６は形成されていない。
【０１０９】
［電源収容部］
また、本実施の形態では、電源モジュール５０２の容器部５２６は、アルミニウムを主要材料とした金属製の筐体である。電源モジュール５０２の天板５２２には係止部材２２ａが設けられている。
【０１１０】
［係止部材］
図１０に示すように、係止部材２２ａは、第一係止部２１から、電源収容部５２０の長手方向に離間して配置され、ライティングダクトに電源収容部５２０を係止する。本実施の形態では、係止部材２２ａは、電源収容部５２０の長手方向の中央付近であって、ライティングダクトに対向する位置に配置される。なお、係止部材２２ａの電源収容部５２０の長手方向における配置位置は、第一係止部２１から、電源収容部５２０の長手方向に離間した位置であればよく、電源収容部５２０の長手方向の中央付近に限定されない。係止部材２２ａは、図１に示されるように、留め部材２０２と、レバー２０３とを有する。
【０１１１】
留め部材２０２は、容器部５２６に対して各図のＹ軸方向に平行な回転軸を中心として回転自在に設けられる。留め部材２０２をライティングダクトの溝部において回転軸を中心として約９０度回転させることによって、留め部材２０２をライティングダクトに係止できる。これにより、照明器具５００をライティングダクトに係止することができる。留め部材２０２を形成する材料は、特に限定されない。留め部材２０２は、例えば、ポリカーボネイトなどの樹脂材料で形成されてもよい。
【０１１２】
レバー２０３は、留め部材２０２を、容器部５２６に対して、各部のＺ軸に平行な回転軸を中心に回転させるためのレバーである。本実施の形態では、レバー２０３を、当該回転軸を中心に約９０度の回転角の範囲にわたって回転させることができる。レバー２０３を形成する材料は、特に限定されない。レバー２０３は、例えば、アルミニウムなどの金属材料を主要材料として含む。
【０１１３】
図１及び図２に示されるように、留め部材２０２及びレバー２０３は、Ｙ軸方向に平行な回転軸を有するねじによって天板５２２に取り付けられる。これにより、留め部材２０２及びレバー２０３は、容器部５２６に対してねじの回転軸を中心として回転自在に取り付けられる。
【０１１４】
［作用効果］
次に、本実施の形態における照明器具５００の作用効果について説明する。
【０１１５】
上述したように、本実施の形態に係る照明器具５００において、電源収容部５２０は、点灯回路２９を収容する容器部５２６と、容器部５２６の開口部５２６ｃを塞ぐ天板５２２とを有する。また、締結受け部５６１は、締結部材２４０によって天板５２２を容器部５２６に締結する締結受け部５６１を有する。そして、第２案内突部５５３は、締結受け部５６１の外周の一部に沿って形成される略筒状の第２案内突部５５３である。
【０１１６】
これによれば、第２案内突部５５３が締結受け部５６１の外周の一部に沿って形成される略筒状であるため、第２案内突部５５３を締結受け部５６１に位置合わせするだけで、絶縁部材５５０等を電源収容部５２０の容器部５２６に組み付け易くなる。また、点灯回路２９、絶縁部材５５０等を電源収容部５２０の容器部５２６に組み付ける際に、例えば、第１リード線２３１が締結受け部５６１に乗り上げていたとしても、絶縁部材５５０の第２案内突部５５３が第１リード線２３１と当接して、絶縁部材５５０が所定の位置に載置されなくなる。このため、絶縁部材５５０が電源収容部５２０に対して強調して浮き上がってしまうことで、絶縁部材２５０が正しく電源収容部５２０に組み付けられていないことに、作業者が気付くことができる。その結果、例えば絶縁部材５５０と締結受け部５６１とで第１リード線２３１を挟みこんだ状態で組み付けられることによる、第１リード線２３１の断線を抑制することができる。
【０１１７】
本実施の形態における他の作用効果についても、実施の形態１と同様の作用効果を奏する。
【０１１８】
（その他変形例等）
以上、本発明について、実施の形態１、２及び実施の形態１の変形例１、２に基づいて説明したが、本発明は、上記実施の形態１、２及び実施の形態１の変形例１、２に限定されるものではない。
【０１１９】
例えば、実施の形態１、２及び実施の形態１の変形例１、２において、第２壁部の突出量は、さらに大きくてもよい。第２壁部は、第１壁部に沿って対向する位置に配置されていれば、互いの突出量を適宜変更することができてもよい。
【０１２０】
その他、実施の形態１、２及び実施の形態１の変形例１、２に対して当業者が思いつく各種変形を施して得られる形態、本発明の趣旨を逸脱しない範囲で実施の形態１、２及び実施の形態１の変形例１、２における構成要素及び機能を任意に組み合わせることで実現される形態も本発明に含まれる。
【符号の説明】
【０１２１】
１、５００  照明器具
２、５０２  電源モジュール
４  灯具
２０、５２０  電源収容部（筐体）
２６、５２６  容器部
２６ｃ、５２６ｃ  開口部
２７、５２２  天板
２９  点灯回路
２３１  第１リード線
２３２  第２リード線
２３３、５３３  電極板
２４０  締結部材
２５０、３５０、４５０、５５０  絶縁部材
２５１、５５１  本体板部
２５３  第２壁部（案内突部）
２５４、５５４  第１電極係止部（電極係止部）
２５５、５５２ｂ  第２電極係止部（電極係止部）
２５６  係合突出部
２６０  第１壁部
２６１、５６１  締結受け部（第１壁部）
２６２  立ち壁部（第１壁部）
２６３、５６３  凹部
３５７  貫通孔
４５６ａ、４５６ｂ  案内係止部
５５３  第２案内突部（案内突部）
５５５ａ  第１突部（電極係止部）
５５５ｂ  第２突部（電極係止部）
Ｈ  配線路
【図１】
2019029182.tif 000003
【図２】
2019029182.tif 000004
【図３】
2019029182.tif 000005
【図４】
2019029182.tif 000006
【図５】
2019029182.tif 000007
【図６】
2019029182.tif 000008
【図７】
2019029182.tif 000009
【図８】
2019029182.tif 000010
【図９】
2019029182.tif 000011
【図１０】
2019029182.tif 000012
【図１１】
2019029182.tif 000013
【図１２】
2019029182.tif 000014